(57)【特許請求の範囲】
【請求項１】
画像表示を行うとともに、タッチセンサにより指紋を読み取ることが可能なタッチパネルと、
前記タッチセンサを介しての指による指示に基づいて、アプリケーションプログラムを実行する制御部とを備えた携帯端末装置であって、
前記制御部は、前記アプリケーションプログラムに管理者以外では起動することができないセキュリティロックを設定する機能を有し、
前記セキュリティロックが設定されたアプリケーションプログラムの実行中において、前記タッチパネルへの指のタッチ毎に指紋の読み取りを行い、予め記憶された前記管理者の指紋データと読み取った指紋データとの照合を行って、照合結果が不一致の場合には、実行中のアプリケーションプログラムを終了させる、携帯端末装置。
【請求項２】
前記制御部は、前記照合結果が不一致の場合には、前記実行中のアプリケーションプログラムの動作の再開のための設定情報を保存し、前記実行中のアプリケーションプログラムを終了させた後、前記タッチパネルへの指のタッチに基づいて指紋の読み取りを行い、前記管理者の指紋データと読み取った指紋データとの照合を行って、照合結果が一致する場合には、保存された前記設定情報に基づいて、終了させたアプリケーションプログラムを再開する、請求項１記載の携帯端末装置。
【請求項３】
画像表示を行うとともに、タッチセンサにより指紋を読み取ることが可能なタッチパネルと、
前記タッチセンサを介しての指による指示に基づいて、アプリケーションプログラムを実行する制御部とを備えた携帯端末装置であって、
前記制御部は、
アプリケーションプログラムで使用されるフォルダに管理者以外では開くことができないセキュリティロックを設定する機能を有し、
前記セキュリティロックが設定されたフォルダ内のファイルの再生中において、前記タッチパネルへの指のタッチ毎に指紋の読み取りを行い、予め記憶された前記管理者の指紋データと読み取った指紋データとの照合を行って、照合結果が不一致の場合には、ファイルの再生を終了させる、携帯端末装置。
【請求項４】
画像表示を行うとともに、タッチセンサにより指紋を読み取ることが可能なタッチパネルと、
前記タッチセンサを介しての指による指示に基づいて、アプリケーションプログラムを実行する制御部とを備えた携帯端末装置であって、
前記制御部は、
アプリケーションプログラムで使用されるファイルに管理者以外では開くことができないセキュリティロックを設定する機能を有し、
前記セキュリティロックが設定されたファイルの再生中において、前記タッチパネルへの指のタッチ毎に指紋の読み取りを行い、予め記憶された前記管理者の指紋データと読み取った指紋データとの照合を行って、照合結果が不一致の場合には、ファイルの再生を終了させる、携帯端末装置。
【請求項５】
前記制御部は、前記照合結果が不一致の場合には、前記再生中のファイルの再開のための設定情報を保存し、前記再生中のファイルを終了させた後、前記タッチパネルへの指のタッチに基づいて指紋の読み取りを行い、前記管理者の指紋データと読み取った指紋データとの照合を行って、照合結果が一致する場合には、保存された前記設定情報に基づいて、終了させたファイルを再開する、請求項３または請求項４記載の携帯端末装置。
【発明の詳細な説明】
【技術分野】
【０００１】
本発明は、タッチパネルで指紋検出を行う機能を有した携帯端末装置に関し、特に、検出された指紋に基づいた指紋認証機能により、特定の機能にロックを掛けることが可能な携帯端末装置に関する。
【背景技術】
【０００２】
従来から、指紋認証機能を付加した携帯電話機等の携帯端末装置が開示されており、例えば、特許文献１には、機能選択のパネルタッチの際に指紋照合を行い、合致すればセキュリティを解除する構成が開示されている。
【０００３】
また、特許文献２には、スキャナ機能によって、接触した指の指紋を検出することができるタッチパネルが開示されている。
【先行技術文献】
【特許文献】
【０００４】
【特許文献１】特開２００９−１５５４３号公報
【特許文献２】特開２００９−５４１１８号公報
【発明の概要】
【発明が解決しようとする課題】
【０００５】
特許文献１に開示された構成では、タッチパネルに触れることで指紋照合を行い、指紋が予め設定された権限者のものであると認証された場合は、特定機能のセキュリティが解除されるが、一旦、セキュリティが解除されてしまうと、使用権限のない第３者でも自由に当該特定機能を使用することができる。
【０００６】
本発明は上記のような問題点を解消するためになされたもので、使用権限のない第３者が、セキュリティ対象となっている特定機能を使用することを防止することを目的とする。
【課題を解決するための手段】
【０００７】
上記課題を解決するため、本発明に係る携帯端末装置は、画像表示を行うとともに、タッチセンサにより指紋を読み取ることが可能なタッチパネルと、前記タッチセンサを介しての指による指示に基づいて、アプリケーションプログラムを実行する制御部とを備えた携帯端末装置であって、前記制御部は、前記アプリケーションプログラムに管理者以外では起動することができないセキュリティロックを設定する機能を有し、前記セキュリティロックが設定されたアプリケーションプログラムの実行中において、前記タッチパネルへの指のタッチ毎に指紋の読み取りを行い、予め記憶された前記管理者の指紋データと読み取った指紋データとの照合を行って、照合結果が不一致の場合には、実行中のアプリケーションプログラムを終了させる。
【０００８】
また、本発明に係る携帯端末装置の一態様では、前記制御部は、前記照合結果が不一致の場合には、前記実行中のアプリケーションプログラムの動作の再開のための設定情報を保存し、前記実行中のアプリケーションプログラムを終了させた後、前記タッチパネルへの指のタッチに基づいて指紋の読み取りを行い、前記管理者の指紋データと読み取った指紋データとの照合を行って、照合結果が一致する場合には、保存された前記設定情報に基づいて、終了させたアプリケーションプログラムを再開する。
【００１０】
また、本発明に係る携帯端末装置の一態様では、画像表示を行うとともに、タッチセンサにより指紋を読み取ることが可能なタッチパネルと、前記タッチセンサを介しての指による指示に基づいて、アプリケーションプログラムを実行する制御部とを備えた携帯端末装置であって、前記制御部は、アプリケーションプログラムで使用されるフォルダに管理者以外では開くことができないセキュリティロックを設定する機能を有し、前記セキュリティロックが設定されたフォルダ内のファイルの再生中において、前記タッチパネルへの指のタッチ毎に指紋の読み取りを行い、予め記憶された前記管理者の指紋データと読み取った指紋データとの照合を行って、照合結果が不一致の場合には、ファイルの再生を終了させる。
【００１１】
また、本発明に係る携帯端末装置の一態様では、画像表示を行うとともに、タッチセンサにより指紋を読み取ることが可能なタッチパネルと、前記タッチセンサを介しての指による指示に基づいて、アプリケーションプログラムを実行する制御部とを備えた携帯端末装置であって、前記制御部は、アプリケーションプログラムで使用されるファイルに管理者以外では開くことができないセキュリティロックを設定する機能を有し、前記セキュリティロックが設定されたファイルの再生中において、前記タッチパネルへの指のタッチ毎に指紋の読み取りを行い、予め記憶された前記管理者の指紋データと読み取った指紋データとの照合を行って、照合結果が不一致の場合には、ファイルの再生を終了させる。
【００１２】
また、本発明に係る携帯端末装置の一態様では、前記制御部は、前記照合結果が不一致の場合には、前記再生中のファイルの再開のための設定情報を保存し、前記再生中のファイルを終了させた後、前記タッチパネルへの指のタッチに基づいて指紋の読み取りを行い、前記管理者の指紋データと読み取った指紋データとの照合を行って、照合結果が一致する場合には、保存された前記設定情報に基づいて、終了させたファイルを再開する。
【発明の効果】
【００１３】
本発明によれば、使用権限のない第３者が、セキュリティ対象となっている特定機能を使用することを防止することができる。
【図面の簡単な説明】
【００１４】
【図１】本発明に係る実施の形態の携帯電話機の電気的な構成を示すブロック図である。
【図２】本発明に係る実施の形態の携帯電話機の機密管理動作を説明するフローチャートである。
【図３】第３者用のメニュー画面を示す図である。
【図４】管理者用のメニュー画面を示す図である。
【図５】本発明に係る実施の形態の携帯電話機の機密管理動作を説明するフローチャートである。
【図６】本発明に係る実施の形態の携帯電話機の機密管理動作の変形例を説明するフローチャートである。
【図７】本発明に係る実施の形態の携帯電話機の機密管理動作の変形例を説明するフローチャートである。
【発明を実施するための形態】
【００１５】
＜実施の形態＞
＜装置構成＞
図１は本発明に係る携帯端末装置の実施の形態としての携帯電話機１の電気的な構成を示すブロック図である。図１に示されるように、携帯電話機１は、無線処理部１０１と、スキャナ機能付きのタッチセンサ１０２およびＬＣＤ（Liquid Crystal Display）パネル１０３で構成されるタッチパネル１００と、システム制御部１０４と、音声処理部１０５と、メモリ１０６とを備えている。
【００１６】
無線処理部１０１は、携帯電話機１とは別の携帯電話機や、インターネットに接続されたサーバ装置等の通信装置からの信号をアンテナＡＴで受信し、受信した信号に対して増幅処理やダウンコンバートを行ってシステム制御部１０４に出力するとともに、システム制御部で生成された送信信号に対してアップコンバートや増幅処理を行って、処理後の送信信号をアンテナＡＴを通じて、携帯電話機１とは別の携帯電話機や、インターネットに接続された通信装置に対して送信する。
【００１７】
タッチパネル１００は、システム制御部１０４によって制御されることで、アプリケーションプログラムを起動するためのアイコンや文字などの各種情報を表示面に表示する。またタッチパネル１００は、タッチセンサ１０２により表示面に対するユーザの手指等による操作を検出してシステム制御部１０４に出力するとともに、表示面に接触したユーザの指の指紋を検出してシステム制御部１０４に出力する。
【００１８】
システム制御部１０４は、図示されないＣＰＵ（Central Processing Unit）等を備えており、携帯電話機１の他の構成要素を制御することによって、携帯電話機１の動作を統括的に管理する。
【００１９】
音声処理部１０５は、システム制御部１０５からの音声データを音声に変換して外部に出力する出力部（図示せず）、外部から入力される音声を音声データに変換してシステム制御部１０５に出力する入力部（図示せず）を有している。
【００２０】
メモリ１０６は、ＲＯＭおよびＲＡＭ等で構成されている。システム制御部１０４の各種機能は、ＣＰＵがメモリ１０６内の各種プログラムを実行することによって実現される。
【００２１】
メモリ１０６内には、ＯＳプログラムの他に複数のアプリケーションプログラム（以後、単に「アプリケーション」と呼称）を記憶している。アプリケーションの例としては、通話プログラム、電子メールプログラム、ブラウザ、ナビゲーションプログラム、地図表示プログラム、スケジュール管理プログラムおよびアドレス帳管理プログラムなどが挙げられる。
【００２２】
＜機密管理動作＞
次に、図１を参照しつつ、図２〜図５を用いて携帯電話機１のアプリケーションの機密管理動作について説明する。
【００２３】
まず、図２に示すフローチャートを用いて、メインメニュー処理での機密管理動作について説明する。
【００２４】
携帯電話機１においてメインメニュー表示モードでスリープ状態にある場合（ステップＳ１）、消費電力節約のため表示は消えた状態であるが、タッチパネル１００に手指等でタッチすることでスリープ状態から復帰し（ステップＳ２）、当該指の指紋がタッチセンサ１０２で読み取られる（ステップＳ３）。
【００２５】
ここで、携帯電話機１の管理者（権限者）の指紋データは、予めメモリ１０６等に記憶されており、記憶された指紋データとタッチセンサ１０２で読み取られた指紋データとの照合が行われる（ステップＳ３）。
【００２６】
そして、記憶された指紋データと読み取られた指紋データとが一致した場合は、管理者であると判断し（ステップＳ４）、ステップＳ５に進んでフラグ（Flag）を０に設定し、ステップＳ７に進む。一方、指紋データが不一致の場合は、管理者以外（第３者）であると判断し（ステップＳ４）、ステップＳ６に進んでフラグ（Flag）を１に設定し、ステップＳ７に進む。なお、ステップＳ１で、携帯電話機１がスリープ状態でないと判断された場合は、ステップＳ７の判定から処理が始まる。
【００２７】
ステップＳ７では、フラグが０であるか１であるかを判定し、フラグが０である場合は、ステップＳ８に進んで第３者による使用履歴情報の有無を確認する。一方、ステップＳ７でフラグが１と判定された場合は、ステップＳ１３において第３者用のメニュー画面を表示する。
【００２８】
ここで、第３者用のメニュー画面を図３に示す。第３者用のメニュー画面は、複数のアプリケーション表示のうち、起動可能なアプリケーションと、セキュリティロックされ起動不可能なアプリケーションとが区別して表示されており、起動不可能なアプリケーションは、その表示が例えばモノトーンで表示されており（アプリケーションＣ、Ｄ、例えば電子メールプログラムやスケジュール管理プログラムなど）、当該アプリケーション表示をタッチしてもアプリケーションを起動することはできない。一方、セキュリティロックが設定されておらず、起動可能なアプリケーション（アプリケーションＡ、Ｂ、例えば、ブラウザプログラムやナビゲーションプログラムなど）は、その表示はカラー表示されており、当該アプリケーション表示をタッチすることで、ステップＳ１０以降の処理を経て、アプリケーションを起動することができる。
【００２９】
ステップＳ８において、履歴情報があると判定された場合は、ステップＳ１４に進んで履歴情報の確認を行う。履歴情報の確認を行うことで、自動的に動作パラメータ（設定情報）を復帰させることができるが、この処理については、図５に示すフローチャートを用いて後に説明するものとする。なお、記号Ａによって、図２と図５とが接続される。一方、履歴情報がない場合は、ステップＳ９に進んで、管理者用のメニュー画面を表示する。
【００３０】
ここで、管理者用のメニュー画面を図４に示す。管理者用のメニュー画面は、複数のアプリケーション表示が全て起動可能なアプリケーション表示となっており、管理者であれば、ステップＳ１０以降の処理を経て、何れのアプリケーションも起動することができる。
【００３１】
管理者および第３者が、アプリケーション表示（起動可能なもの）を手指等でタッチしたことをタッチセンサ１０２（図１）が検出すると（ステップＳ１０）、当該指の指紋がタッチセンサ１０２で読み取られる（ステップＳ１１）。
【００３２】
そして、ここで得られた指紋データの持ち主、すなわち携帯電話機１の現時点での使用者（実行者）と、ステップＳ７で判定されたフラグの判定結果とを照合し（ステップＳ１２）、両者が一致する場合には、実行権限があるものとして選択したアプリケーションを実行し、両者が不一致の場合には、実行権限がないものとしてステップＳ７以下の動作を繰り返す。
【００３３】
ここで、携帯電話機１の使用者とフラグの判定結果とが不一致の場合とは、ステップＳ７でフラグが０と判定され、すなわち、管理者がメニュー画面にタッチして管理者用のメニュー画面が表示された後、何らかの理由で、第３者が携帯電話機１を所持することとなった場合、あるいは、ステップＳ７でフラグが１と判定され、すなわち、第３者がメニュー画面にタッチして第３者用のメニュー画面が表示された後、管理者が携帯電話機１を所持することとなった場合が考えられる。このような場合は、ステップＳ７以下の動作を繰り返すことで、第３者用のメニュー画面の表示あるいは、管理者への復帰処理を行う。
【００３４】
次に、図５に示すフローチャートを用いて、セキュリティロックが設定されたアプリケーションを実行する際の機密管理動作について説明する。
【００３５】
図２を用いて説明したメインメニュー処理を経て、セキュリティロックが設定されたアプリケーションの実行を開始すると（ステップＳ２１）、まず、実行されたアプリケーションを操作するための操作メニューが表示される（ステップＳ２２）。
【００３６】
管理者または第３者が、手指等で操作メニューの中の所定の操作にタッチすると（ステップＳ２３）、当該指の指紋がタッチセンサ１０２で読み取られるとともに、予めメモリ１０６等に記憶された指紋データとタッチセンサ１０２で読み取られた指紋データとの照合が行われる（ステップＳ２４）。
【００３７】
そして、記憶された指紋データと読み取られた指紋データとが一致した場合は、管理者であると判断し（ステップＳ２５）、ステップＳ２６に進んで選択された操作を実行する。一方、指紋データと読み取られた指紋データとが不一致の場合は、第３者であると判断しステップＳ２８に進む。
【００３８】
ステップＳ２８では、その時点でのアプリケーションの動作状態に復帰可能となるように動作を再開するために必要な設定情報、例えば各種パラメータを保存した後、ステップＳ２９でフラグを１に設定することで、実行者が第３者であることを記録する。
【００３９】
その後、ステップＳ３０において、実行者である第３者がどのようなアプリケーションに対して、どのような操作を実行したかについての操作履歴をメモリ１０６（図１）等に記録し、アプリケーションを強制終了する（ステップＳ３１）。
【００４０】
なお、ステップＳ２６において選択された操作の実行を開始した後は、ステップＳ２７でアプリケーションの終了を確認するまでステップＳ２２以下の動作を繰り返し、アプリケーションの終了を確認した場合は、図２に示したメインメニュー処理に戻る。
【００４１】
また、図２に示したステップＳ８において履歴情報があると判定された場合は、ステップＳ１４に進んで履歴情報の確認を行い、その後はステップＳ３２において、自動的に動作パラメータを復帰させ、ステップＳ２２以下の動作を繰り返す。
【００４２】
以上説明したように、アプリケーション実行時においても随時に指紋データの照合を行うことで、管理者が起動したアプリケーションの実行途中で、第３者が携帯電話機１を所持することになった場合に、第３者が意図的に、あるいは過誤により管理者が起動したアプリケーションを操作しようとしても、操作に必要なパネルタッチの度に指紋データの照合が行われ、第３者による操作であると判明した場合は、アプリケーションが強制的に終了するので、機密性を高めることができる。
【００４３】
このように、管理者が起動したアプリケーションの実行途中で、指紋データの不一致が生じるケースとしては、以下のようなケースが想定される。
【００４４】
＜ケース１＞
セキュリティロックされ、管理者以外には起動が不可能なアプリケーション（例えば、図３のアプリケーションＣ、Ｄ）を管理者が実行している途中で電話着信があり、その通話の途中で、一緒にいる第３者に電話を替わった場合、通話が終わると起動中のアプリケーションの実行に戻るが、このアプリケーションの再開時に、携帯電話機１が第３者に所持されたまま、第３者が意図的に、あるいは過誤により当該アプリケーションの操作を行うと、指紋データの不一致が生じることとなる。
【００４５】
＜ケース２＞
セキュリティロックされ、管理者以外には起動が不可能なアプリケーションを管理者が実行している途中で携帯電話機１を置いたまま席を立った際に、悪意ある第３者によって当該アプリケーションの操作が行われた場合、指紋データの不一致が生じることとなる。
【００４６】
＜ケース３＞
カメラやゲームなどの第３者でも起動可能なアプリケーションの使用のために、第３者に携帯電話機１を貸す場合、セキュリティロックされ、管理者以外には起動が不可能なアプリケーションを管理者が起動したまま貸してしまった場合、第３者が意図的に、あるいは過誤により当該アプリケーションの操作を行うと、指紋データの不一致が生じることとなる。
【００４７】
上記のようなケースに該当してアプリケーションが強制的に終了した場合、図２に示したメインメニュー処理に戻り、ステップＳ１〜Ｓ４、Ｓ６を経て、ステップＳ７のフラグチェックで第３者と判定された場合は、ステップＳ１３で第３者用のメニューが表示され、セキュリティロックが設定されたアプリケーションは起動できなくなる。
【００４８】
その後、再び管理者が携帯電話機１を所持した場合、ステップＳ１２において、携帯電話機１の現時点での使用者と、ステップＳ７で判定されたフラグの判定結果とが不一致となり、ステップＳ７の処理に戻ることとなる。この場合、ステップＳ７のフラグチェックでは、管理者と判定され、ステップＳ８で履歴情報の有無を確認し、履歴情報があった場合には、ステップＳ１４で履歴情報の確認を行う。履歴情報の確認により、自動的に動作パラメータが復帰し（図５、ステップＳ３２）、ステップＳ２２（図５）以下の動作を経て、操作メニューで選択された操作を実行してアプリケーションを再開する。
【００４９】
このように、管理者が起動させたアプリケーションが、第３者の使用により強制的に終了した場合、第３者の使用履歴を確認することができるので、第３者の行った操作に起因する不利益を防止または低減することができる。
【００５０】
また、管理者が起動させたアプリケーションが、第３者の使用により強制的に終了した場合でも、管理者に携帯電話機１が戻った場合は、保存された各種パラメータを読み出すことで、当該アプリケーションが中断した状態から再開することができるので、管理者が再度、各種パラメータを設定する手間を省くことができる。
【００５１】
＜変形例＞
以上説明した本発明に係る携帯端末装置の実施の形態においては、アプリケーションにセキュリティロックを設定する構成を採用し、セキュリティロックが設定されたアプリケーションは第３者が起動できず、管理者が起動させたアプリケーションを第３者が使用した場合には、当該アプリケーションを強制的に終了させることで機密管理を行うという構成となっていた。
【００５２】
しかし、機密管理においてはアプリケーションにセキュリティを設定するよりも、アプリケーション内のフォルダにセキュリティを設定する方が使い勝手が良い場合がある。
【００５３】
例えば、ムービーやカメラのアプリケーションは、管理者が専用で使うのではなく、第３者に携帯電話機１を渡して撮影させるという場合が多々ある。従って、ムービーやカメラのアプリケーションにセキュリティロックを設定していると、第３者が使用できず、使い勝手が悪いということになる。しかし、セキュリティロックを設定せずに、第３者でも起動可能にしていると、第３者がムービーやカメラのフォルダを見ることができ、管理者にとって不都合となる可能性がある。
【００５４】
そこで、ムービーやカメラのフォルダについて、第３者が開くことのできるパブリックなフォルダと、第３者では開くことのできないセキュリティロックが設定されたプライベートなフォルダとに区分し、フォルダに対する機密管理を行う構成としても良い。
【００５５】
以下、図６および図７に示すフローチャートを用いて、フォルダに対する機密管理動作について説明する。
【００５６】
図６に示すフローチャートにおいて、携帯電話機１がメインメニュー表示モードでスリープ状態にある場合（ステップＳ４１）、消費電力節約のため表示は消えた状態であるが、タッチパネル１００に手指等でタッチすることでスリープ状態から復帰し（ステップＳ４２）、当該指の指紋がタッチセンサ１０２で読み取られる（ステップＳ４３）。
【００５７】
そして、記憶された指紋データと読み取られた指紋データとが一致した場合は、管理者であると判断し（ステップＳ４４）、ステップＳ４５に進んでフラグ（Flag）を０に設定し、ステップＳ７に進む。一方、指紋データが不一致の場合は、管理者以外（第３者）であると判断し（ステップＳ４４）、ステップＳ４６に進んでフラグ（Flag）を１に設定し、ステップＳ４７に進む。
【００５８】
ステップＳ４７では、フラグが０であるか１であるかを判定し、フラグが０である場合は、ステップＳ４８に進んで第３者による使用履歴情報の有無を確認する。一方、ステップＳ４７でフラグが１と判定された場合は、ステップＳ５３において第３者用のフォルダ画面を表示する。この画面には、複数のフォルダ表示のうち、参照可能なフォルダと、セキュリティロックされ参照不可能なフォルダとが区別して表示されている。参照可能なフォルダ表示をタッチすることで、ステップＳ５０以降の処理を経て、当該フォルダ内のファイルを再生することができる。
【００５９】
ステップＳ４８において、履歴情報があると判定された場合は、ステップＳ５４に進んで履歴情報の確認を行う。履歴情報の確認を行うことで、自動的に動作パラメータを復帰させることができる。なお、記号Ａによって、図６と図７とが接続される。
【００６０】
一方、履歴情報がない場合は、ステップＳ４９に進んで、管理者用のフォルダ画面を表示する。
【００６１】
ここで、管理者用のフォルダ画面は、複数のフォルダ表示が全て参照可能なフォルダ表示となっており、管理者であれば、ステップＳ５０以降の処理を経て、何れのフォルダも参照することができる。
【００６２】
管理者および第３者が、フォルダ表示（参照可能なもの）を手指等でタッチしたことをタッチセンサ１０２（図１）が検出すると（ステップＳ５０）、当該指の指紋がタッチセンサ１０２で読み取られる（ステップＳ５１）。
【００６３】
そして、ここで得られた指紋データの持ち主、すなわち携帯電話機１の現時点での使用者（実行者）と、ステップＳ４７で判定されたフラグの判定結果とを照合し（ステップＳ５２）、両者が一致する場合には、実行権限があるものとして選択したフォルダに含まれる動画ファイルを再生し、両者が不一致の場合には、実行権限がないものとしてステップＳ４７以下の動作を繰り返す。
【００６４】
次に、図７に示すフローチャートを用いて、ファイル再生時の機密管理動作について説明する。
【００６５】
図６を用いて説明したメインメニュー処理を経て、セキュリティロックが設定されたフォルダのファイルを再生すると（ステップＳ６１）、再生画面には、停止や早送り、早戻しなどの操作キーが表示される（ステップＳ６２）。
【００６６】
管理者または第３者が、操作のために手指等で操作キーにタッチすると（ステップＳ６３）、当該指の指紋がタッチセンサ１０２で読み取られるとともに、予めメモリ１０６等に記憶された指紋データとタッチセンサ１０２で読み取られた指紋データとの照合が行われる（ステップＳ６４）。
【００６７】
そして、記憶された指紋データと読み取られた指紋データとが一致した場合は、管理者であると判断し（ステップＳ６５）、ステップＳ６６に進んで選択された操作キーの動作を実行する。一方、指紋データと読み取られた指紋データとが不一致の場合は、第３者であると判断しステップＳ６８に進む。
【００６８】
ステップＳ６８では、その時点でのファイルの再生状態に復帰可能となるように各種パラメータを保存した後、ステップＳ６９でフラグを１に設定することで、実行者が第３者であることを記録する。
【００６９】
その後、ステップＳ７０において、実行者である第３者がどのフォルダのどのファイルに対して、どのような操作を実行したかについての操作履歴をメモリ１０６（図１）等に記録し、ファイルの再生を強制終了する（ステップＳ７１）。
【００７０】
なお、ステップＳ６６において操作キーの実行を開始した後は、ステップＳ６７で再生が終了するまでステップＳ６２以下の動作を繰り返し、再生の終了を確認した場合は、図６に示したメインメニュー処理に戻る。
【００７１】
また、図６に示したステップＳ４８において履歴情報があると判定された場合は、ステップＳ５４に進んで履歴情報の確認を行い、その後はステップＳ７２において、自動的に動作パラメータを復帰させ、ステップＳ６２以下の動作を繰り返す。
【００７２】
上記のように、フォルダにセキュリティロックを設定し、ファイルの再生時においても指紋データの照合を行うことで、管理者が選択したファイルの実行途中で、第３者が携帯電話機１を所持することになった場合に、第３者が意図的に、あるいは過誤により管理者が再生しているファイルを操作しようとしても、操作に必要なパネルタッチの度に指紋データの照合が行われ、第３者による操作であると判明した場合は、再生が強制的に終了するので、機密性を高めることができる。
【００７３】
より具体的には、管理者がムービーのアプリケーションを起動して、プライベートなフォルダのファイルを再生している時に、第３者が、ムービーでの撮影を求めて来た場合、第３者がパネルタッチをした時点で当該ファイルの再生が強制終了するので、第３者が、再生しているプライベートフォルダのファイルを見ることができない。さらに、プライベートなフォルダが開いている場合には、併せて終了させるようにすれば、第３者がプライベートなフォルダを見ることができなくなる。
【００７４】
また、管理者が再生していたプライベートなフォルダのファイルが、第３者の使用により強制的に終了した場合、第３者の使用履歴を確認することができるので、第３者の行った操作に起因する不利益を防止または低減することができる。
【００７５】
また、管理者が再生していたプライベートなフォルダのファイルが、第３者の使用により強制的に終了した場合でも、管理者に携帯電話機１が戻った場合は、保存された各種パラメータを読み出すことで、当該再生が中断した状態から再開することができるので、管理者は参照の途中から映像を見ることができ、早送りや早戻しの手間を省くことができる。
【００７６】
なお、以上の説明においては、ムービーのアプリケーションを例に採ってフォルダにセキュリティロックを設定する例を示したが、これに限定されるものではなく、カメラのアプリケーションのフォルダにセキュリティロックを設定しても良く、また、音楽プレーヤーのアプリケーションにおいて、音楽フォルダにセキュリティロックを設定しても良い。また、フォルダではなく、ファイル自身にセキュリティロックを設定しても良い。
【００７７】
要するに、フォルダ名やファイル名を見るだけでは情報を獲得したことにならないアプリケーションについては、アプリケーションそのものにセキュリティロックを設定するのではなく、フォルダやファイルにセキュリティロックを設定する方が、利用者にとって使い勝手が良くなる。
【００７８】
一方、メールのアドレス帳などのように、見るだけで情報が獲得されてしまうアプリケーションについてはアプリケーションそのものにセキュリティロックを設定するものとし、アプリケーションにセキュリティロックを設定する機能と、フォルダやファイルにセキュリティロックを設定する機能とを併せて使用することで、機密管理が可能となる。
【００７９】
以上説明した実施の形態およびその変形例によれば、使用権限のない第３者が、セキュリティ対象となっている特定機能を使用することを防止することができるが、さらに次のような問題点も解決することができる。
【００８０】
すなわち、特許文献１に開示された構成では、タッチパネルに触れることで指紋照合を行い、指紋が予め設定された権限者のものであると認証された場合は、特定機能のセキュリティが解除されるので、一旦、セキュリティが解除されてしまうと、使用権限のない第３者でも自由に当該特定機能を使用することができ、当該第３者がどのような操作を行ったかが判らないという問題も有していたが、実施の形態およびその変形例によれば、使用権限のない第３者の操作履歴を取得することもできる。
【符号の説明】
【００８１】
１００  タッチパネル
１０２  タッチセンサ
１０３  ＬＣＤパネル
１０４  システム制御部
１０５  音声処理部
１０６  メモリ
【図１】
0005606705.tif 000002
【図２】
0005606705.tif 000003
【図３】
0005606705.tif 000004
【図４】
0005606705.tif 000005
【図５】
0005606705.tif 000006
【図６】
0005606705.tif 000007
【図７】
0005606705.tif 000008